(57)【要約】【課題】所定の寸法や重量を有する付属物を、飲料缶に装着することができる飲料缶用付属品装着具を提供する。【解決手段】  この飲料缶用付属品装着具は、外形略円筒状の飲料缶４の外周側面に抱き付くように装着される、外形略Ｃ状の抱付部１と、前記抱付部１の外周側に接合された外形略短冊状または棒状の付属品保持部２と、前記付属品保持部２における前記抱付部１と連接する方の面とは反対側の面に、袋状の付属品袋７の所定部位に設けられた係止用孔８に挿通されて前記付属品袋８を係止する付属品係止用突起３とを備えている。【選択図】  図１
2007168907.tif 000002
【特許請求の範囲】
【請求項１】
係止用孔を有する袋状の付属品を円筒状の飲料缶に装着する飲料缶用付属品装着具であって、飲料缶の外周側面に抱き付くように装着される外形略Ｃ状の抱付部と、抱付部の外周側に設けた付属品保持部と、付属品の係止用孔を挿通して付属品を係止する付属品係止用突起とを備えたことを特徴とする飲料缶用付属品装着具。
【請求項２】
抱付部は、弾性材できており、飲料缶の上蓋カシメ溝に対して着脱自在に装着してあることを特徴とする請求項１記載の飲料缶用付属品装着具。
【請求項３】
抱付部の内周面に、上蓋カシメ溝の凹みに嵌め合わされるフランジ部を備えたことを特徴とする請求項２記載の飲料缶用付属品装着具。
【請求項４】
抱付部と付属品保持部との間に架設された接合強度増強部を備えたことを特徴とする請求項１乃至３の何れか一項に記載の飲料缶用付属品装着具。
【請求項５】
付属品は外形が略袋状であり、上側には袋を開く開口部が設けられ、開口部よりも上側には係止用孔が穿設されてあることを特徴とする請求項１乃至４の何れか一項に記載の飲料缶用付属品装着具。
【請求項６】
付属品係止用突起は、軸部と、軸部の外径よりも大きな径の頭部とを有し、付属品の係止用孔が、中央孔と、中央孔の左右で中央孔に連通し、中央孔より小さな径を有する左右孔と備えることを特徴とする請求項１乃至５の何れか一項に記載の飲料缶用付属品装着具。
【請求項７】
中央孔が付属品係止用突起の頭部の径よりも小さな径であり、左右孔が付属品係止用突起の軸部の外径よりも大きな径を有することを特徴とする請求項６に記載の飲料缶用付属品装着具。
【発明の詳細な説明】
【技術分野】
【０００１】
本発明は、飲料缶に袋状の付属品を装着する飲料缶用付属品装着具に関する。
【背景技術】
【０００２】
特許文献１には、飲料缶取り付けて使用する缶用リーフレットの技術が開示されている。この缶用リーフレットは、天板に缶の上端部（上蓋部）の直径よりも大きい開孔部を設け、その開孔部の内周辺から内方に設けた係止部を、缶の巻き締め部の下部に嵌入している（第１の従来技術）。
【０００３】
また、所謂キャップ型の付属品ケースを缶に取り付ける技術が公知である。この技術では、飲料缶のトップ部に、キャップ型の付属品ケースを被せるようにして装着し、その付属品ケースの中に、小型玩具等の販促品を収容させるようにしたものである（第２の従来技術）。
【０００４】
【特許文献１】特開２００６−２８２２３３号公報
【発明の開示】
【発明が解決しようとする課題】
【０００５】
しかしながら、上記の第１の従来技術では、例えば所定の寸法や重量を有する印刷物等の販促用品を袋に詰めて装着することができない。
【０００６】
また、第２の従来技術では、所定の寸法や重量を有する販促用品、例えば長細くて飲料缶の胴径からはみ出してしまうような販促品や、飲料缶の上蓋の面積よりも大きな面積を有する印刷物などを、そのままの形で収容することはできない。
【０００７】
本発明は、所定の寸法や重量を有する付属物を、飲料缶に装着することができる飲料缶用付属品装着具を提供することを目的とする。
【課題を解決するための手段】
【０００８】
本発明に係る請求項１記載の発明は、係止用孔を有する袋状の付属品を円筒状の飲料缶に装着する飲料缶用付属品装着具であって、飲料缶の外周側面に抱き付くように装着される外形略Ｃ状の抱付部と、抱付部の外周側に設けた付属品保持部と、付属品の係止用孔を挿通して付属品を係止する付属品係止用突起とを備えたことを特徴とする。
【０００９】
請求項２記載の発明は、請求項１記載の発明において、抱付部は、弾性材できており、飲料缶の上蓋カシメ溝に対して着脱自在に装着してあることを特徴とする。
【００１０】
請求項３記載の発明は、請求項２記載の発明において、抱付部の内周面に、上蓋カシメ溝の凹みに嵌め合わされるフランジ部を備えたことを特徴とする。
【００１１】
請求項４記載の発明は、請求項１乃至３の何れか一項に記載の発明において、抱付部と付属品保持部との間に架設された接合強度増強部を備えたことを特徴とする。
【００１２】
請求項５記載の発明は、請求項１乃至４の何れか一項に記載の発明において、付属品は外形が略袋状であり、上側には袋を開く開口部が設けられ、開口部よりも上側には係止用孔が穿設されてあることを特徴とする。
【００１３】
請求項６記載の飲料缶用付属品装着具は、請求項１乃至５の何れか一項に記載の発明において、付属品係止用突起は、軸部と、軸部の外径よりも大きな径の頭部とを有し、付属品の係止用孔が、中央孔と、中央孔の左右で中央孔に連通し、中央孔より小さな径を有する左右孔と備えることを特徴とする。
【００１４】
請求項７記載の発明は、請求項６記載の発明において、中央孔が付属品係止用突起の頭部の径よりも小さな径であり、左右孔が付属品係止用突起の軸部の外径よりも大きな径を有することを特徴とする。
【発明の効果】
【００１５】
請求項１の発明によれば、抱付部を飲料缶に装着することにより、その抱付部に接合された付属品を、飲料缶に装着する。付属品は、飲料缶の外周側面に、抱付部及び付属品保持部によって吊り下げられるようにして保持されることとなるので、飲料缶の上蓋の径や面積よりも大きな寸法の付属品であっても、飲料缶に装着することができる。
【００１６】
請求項２の発明によれば、抱付部が弾性材でできているので、飲料缶用付属品装着具全体を着脱自在に装着することができる。
【００１７】
請求項３の発明によれば、フランジ部が上蓋カシメ溝の凹部に沿って嵌め合わされることにより、その位置で確実に保持することができる。
【００１８】
請求項４の発明によれば、抱付部と付属品保持部との間に接合強度増強部を架設して、その機械的強度を増強するようにしたので、例えば、隣の缶に付属品保持部が押されて外部から大きな力や衝撃が掛かった際にその付属品保持部が変形したり、破損することを防止することができる。
【００１９】
請求項５の発明によれば、付属品は袋状としてあるので、袋の中に、飲料缶の直径よりも大きな外形寸法を有する印刷物等の販促用品を収容できる。しかも、袋状の付属品の開口部よりも上側に係止用孔を設けるようにしているので、付属品袋を飲料缶用装着具に装着したまま開口部を開いて中の付属物を取り出したり変更したりすることができる。
【００２０】
請求項６の発明によれば、付属品を付属品保持部に装着するときには、付属品の中央孔を付属品係止用突起に挿通して、左右にスライドすることにより、容易に係止できる。
【００２１】
請求項７の発明によれば、付属品係止用突起に係止用孔を簡易に挿通させることができ、且つ挿通後は係止用孔が付属品係止用突起から抜けるのを防止できる。
【発明を実施するための最良の形態】
【００２２】
以下、本発明の実施の形態に係る飲料缶用付属品装着具を、添付図面を参照して説明する。図１は、本発明の実施の形態に係る飲料缶用付属品装着具を示す図であり、（ａ）は平面図、（ｂ）は正面図、（ｃ）は側面図であり、図２は、その飲料缶用付属品装着具に付属品を保持させて飲料缶に装着した状態を示す斜視図であり、図３は、図２の状態を飲料缶の上から見た平面図であり、図４〜図６は、飲料缶用付属品装着具を飲料缶に装着する際の動作を示す斜視図であり、図７は飲料缶用付属品装着具を飲料缶に装着した断面図であり、図８は本発明の実施の形態に係る飲料缶用付属品装着具に保持される付属品袋の斜視図であり、図９は付属品袋における係止用孔の部分を示す正面図であり、図１０は付属品袋の係止動作を説明する正面図であり、図１１は、付属品袋を付属品保持部に係止した断面図である。
【００２３】
この飲料缶用付属品装着具は、抱付部１と、付属品保持部２と、付属品係止用突起３ａ、３ｂとから、その主要部が構成されている。
【００２４】
抱付部１は、外形が略円筒状の飲料缶４の外周側面の上蓋２０寄りに設けられているカシメ溝５の部分に抱き付くように装着される、外形が略Ｃ状の部材である。抱付部１は、例えば、ＡＢＳ樹脂やポリエチレン樹脂等であり、弾性を有すると共に表面が滑らかに形成されており、飲料缶４の上蓋２０のカシメ溝５に対して着脱自在に装着可能に設定されている。そしてこの抱付部１の内周面には、図７に示したように、カシメ溝５の凹状断面に沿って嵌め合わされる、断面凸型のフランジ部６が形成されている。尚、図７では、図示の簡潔化を図るために、飲料缶４に抱き付いた２つの抱付部１のうちの一方（右方）のみの断面を示している。
【００２５】
付属品保持部２は、抱付部１の外周側に設けてあり、この付属品保持部２の前面に設けられた付属品係止用突起３ａ、３ｂに吊り掛けられるようにして付属品袋７が保持される。
【００２６】
付属品係止用突起３ａ、３ｂは、袋状の付属品袋７の所定部位に設けられた係止用孔８ａ、８ｂに挿通されて付属品袋７を係止するように設けられたものである。この付属品係止用突起３ａ、３ｂの頭部９は、図１１に示したように、略半球状のもので、その球面側が外向きとなり、平板側が裏向き（付属品保持部２の表面向き）となるように、軸部１０の先端に設けられている。頭部９の直径（又は外形が立方体の場合などには最大幅寸法）Ｄ１は、軸部１０の直径（または最大幅寸法）Ｄ２よりも大きなものとして設定されている。そして軸部１０が付属品保持部２の両端寄りの所定位置の前面にそれぞれ１個ずつ接合されていることで、この付属品係止用突起３ａ、３ｂの全体が各々、付属品保持部２の前面に突設された状態となっている。これらの付属品係止用突起３ａ、３ｂに、付属品袋７の係止用孔８ａ、８ｂが、それぞれ挿通されて係止されることで、付属品袋７が付属品保持部２に保持される。
【００２７】
外形がＣ状（湾曲状）の抱付部１と直線状の付属品保持部２との接合については、両者が接している僅かな部分だけで接合されていると、例えば隣接する缶に押されたりして外部から機械的力が付属品保持部２に加わったときに、その付属品保持部２や接合部分が変形したり座屈して、この飲料缶用付属品装着具に破損や変形が生じてしまう虞がある。そこで、この接合部分の構造的な接合強度を増強するために、抱付部１と付属品保持部２との間に、例えば図１（ａ）に示したようなフィレット状の接合強度増強部１１が、一体に設けられている。
【００２８】
付属品袋７は、図２及び図８に示したように、内部に例えば小型縮刷本（印刷物）のような、いわゆる販促グッズ（販促用品）等を収容可能な袋で、既述のように付属品保持部２に保持される。より詳細には、付属品袋７は、本体１２の外形が略袋状であり、その本体１２の上端寄りには開口部１３及びフラップ１４が設けられていて、本体１２全体が封筒のような構造となっている。フラップ１４は、根元から折り曲げられて開口部１３を覆って封ができるように設定されている。そしてその開口部１３よりも上側には、係止用孔８ａ、８ｂが穿ち設けられた延長部１５が連接されている。
【００２９】
この付属品袋７の延長部１５に設けられた係止用孔８ａ、８ｂは、図２、図９、図１０に示すように、１個の中央孔８１と、この中央孔８１の左右にそれぞれ中央孔８１と一部重なるように連続して設けられた、中央孔８１の孔径Ｄ３よりも小さな孔径Ｄ４を有する２個の小孔８２、８３とからなる。そして、中央孔８１は、付属品係止用突起３ａ、３ｂの頭部９の直径Ｄ１（または最大幅）よりも小さな孔径Ｄ３を有するものとなっており、かつ小孔８２、８３は、付属品係止用突起３ａ、３ｂの軸部１０の直径Ｄ２（または最大幅）よりも大きくかつ中央孔８１の孔径Ｄ３よりも小さな孔径Ｄ４を有するものとなっている。
【００３０】
このような係止用孔８ａ、８ｂは、２個の付属品係止用突起３ａ、３ｂのそれぞれが各々挿通されて、その付属品係止用突起３ａ、３ｂに係止されるように、それら２個の付属品係止用突起３ａ、３ｂ間の配置ピッチＰと同じピッチＰで、付属品袋７に穿ち設けられている。この係止用孔８ａ、８ｂの１個ずつが、付属品保持部２の長手方向両端にそれぞれ１個ずつ設けられた付属品係止用突起３ａ、３ｂに対して各々挿通されて係止されることで、付属品袋７が付属品保持部２に吊り掛けられたような状態で保持されるように設定されている。
【００３１】
次に、本発明の実施の形態に係る飲料缶用付属品装着具の作用について説明する。この飲料缶用付属品装着具は、図２、図３に示したように、付属品保持部２の前面に付属品袋７を吊り掛けるようにして保持させた状態で、その付属品保持部２に接合されている抱付部１を飲料缶４のカシメ溝５の部分に抱き付かせるようにして装着することで、この飲料缶用付属品装着具を介して付属品袋７を飲料缶４に装着するものであるが、その飲料缶４への装着は、図４〜図６を参照して時系列的に説明する。
【００３２】
先ず、図４に示すように、Ｃ状の抱付部１の切り欠きの部分を飲料缶４の胴部に押圧して装着する。このとき、抱付部１の腕状に伸びたその先端１６が丸みを帯びた形状になっており、かつ抱付部１の全体が適度な弾性を有すると共に表面が平滑な材質からなるものであることから、抱付部１の先端１６が飲料缶４の筒状の側面に沿って滑って行くに連れて、抱付部１の先端１６ａ、１６ｂの間隔は次第に拡げられて行く。
【００３３】
抱付部１の先端１６が飲料缶４の最大直径部を通り過ぎると、この抱付部１の左右の先端１６ａと先端１６ｂとの間隔は、次第に狭くなって行く。このとき、抱付部１の弾性力が働いて、この飲料缶用付属品装着具の全体は飲料缶４に向かって付勢され、図５に示した如く、抱付部１が飲料缶４の筒状の側面に抱き付いたような状態になって止まる。
【００３４】
続いて、図５〜図６に示したように、この飲料缶用付属品装着具の全体を、飲料缶４の上方へと（上蓋２０のカシメ溝５に向かって）、飲料缶４の胴部側面を滑らせる。そして、この飲料缶用付属品装着具の抱付部１が飲料缶４のカシメ溝５にまで至ると、図７に示したように、抱付部１の内周側に設けられているフランジ部６が、抱付部１の弾力によってカシメ溝５に嵌り込ませ、飲料缶用付属品装着具を飲料缶４に装着する。尚、この飲料缶用付属品装着具を飲料缶４から意図的に取り外す場合には、上記の手順の逆を行ってよいし、飲料缶用付属品装着具をそのまま飲料缶４から引きぬくようにしても良い。
【００３５】
付属品保持部２の前面に付属品袋７を吊り掛けるようにして保持させる手順としては、先ず、図１０（ａ）に示したように、付属品保持部２の前面に設けられている付属品係止用突起３ａ、３ｂを、付属品袋７の係止用孔８ａ、８ｂの全体に挿通する。このとき、係止用孔８ａ、８ｂうちの中央孔８１の部分に付属品係止用突起３ａ、３ｂの頭部９を挿通させるようにすることで、最も簡便に付属品係止用突起３ａ、３ｂを係止用孔８ａ、８ｂに挿通させることができる。何故なら、中央孔８１は係止用孔８ａ、８ｂのうちで最も孔径が大きく、しかも中央孔８１の両脇には小孔８２、８３が設けられているので、この中央孔８１の位置が、係止用孔８ａ、８ｂの全体の中では最も頭部９を挿通させ易い位置だからである。
【００３６】
このようにして付属品係止用突起３ａ、３ｂを、付属品袋７の係止用孔８ａ、８ｂの中央孔８１の部分に挿通した後、図１０（ｂ）に示したように、相対的に係止用孔８ａ、８ｂの中央孔８１の位置からその左右両脇の小孔８２、８３のうちの何れか一方へと平行移動させる。ここで、図１０（ｂ）では、左の小孔８２へと移動させた場合を示している。
【００３７】
このようにして、図１１に示したように、中央孔８１よりも小径な孔である小孔８２（または小孔８３）の位置で付属品係止用突起３ａ、３ｂを係止させる。このようにすることにより、中央孔８１の位置で係止させるよりもさらに確実に付属品係止用突起３ａ、３ｂを係止させることができ、付属品袋７がこの飲料缶用付属品装着具から脱落することなどを防止することが可能となる。ここで、この飲料缶用付属品装着具から付属品袋７を取り外す場合には、上記の手順の逆を行えばよい。
【００３８】
以上のように、本発明の実施の形態に係る飲料缶用付属品装着具によれば、抱付部１を飲料缶４に装着することにより、その抱付部１に接合された付属品保持部２に保持される付属品袋７を、確実に飲料缶４の前面に着脱自在に装着することが可能となる。また、付属品袋７に収容される付属品は一般に、いわゆる販促グッズあるいはノベルティ品であるため、飲料缶４の前面に装着されることで、その飲料缶４が商品棚に陳列されたときに、消費者に対して目に付きやすい。
【００３９】
付属品袋７は、飲料缶４の外周側面に抱付部１及び付属品保持部２によって吊り下げられるようにして保持されることとなるので、飲料缶の上蓋２０の直径や面積よりも大きな付属品を収容する付属品袋７であっても、飲料缶４に装着することができる。また、一般に飲料缶４は縦長の円筒状であり、その長さは１００ｍｍ以上あるものが多いが、その直径は約５２ｍｍのように比較的小さい。このため、従来のキャップ状で飲料缶４の上蓋２０上に装着されるような付属品ケースの場合には、その飲料缶４の直径以内の大きさの付属品しか収容できなかったところを、本実施の形態に係る飲料缶用付属品装着具によれば、少なくとも飲料缶４の長さに収まる程度までの大きさの付属品を付属品袋７に収容して飲料缶４に装着することが可能となる。
【００４０】
本実施の形態によれば、フランジ部６が上蓋２０のカシメ溝５の凹状断面に沿って嵌め合わされるので、その位置にさらに確実に抱付部１を保持することができる。
【００４１】
抱付部１と付属品保持部２との間に接合強度増強部１１を設けているので、付属品保持部２に対して外部から大きな力や衝撃が掛かった際に、その付属品保持部２自体や抱付部１との間の接合部分等が変形したり破損することを防止することができる。
【００４２】
また、係止用孔８ａ、８ｂを中央孔８１とその両脇の小孔８２、８３とからなるものとしたので、係止用孔８ａ、８ｂに付属品係止用突起３ａ、３ｂを挿通する際には、その挿通をより簡易なものとすることができ、かつその挿通後には付属品係止用突起３ａ、３ｂを小孔８２又は小孔８３へと平行移動させることで、付属品袋７を付属品保持部２に更に確実に保持させることができる。
【００４３】
また、付属品係止用突起３ａ、３ｂとして、付属品保持部２の長手方向両端にそれぞれ１個ずつ設け（３ａ、３ｂ）、その個々の付属品係止用突起３ａ、３ｂにそれぞれ１個ずつ係止用孔８ａ、８ｂを挿通して係止するようにしたので、さらに確実かつ安定的に付属品袋７をこの飲料缶用付属品装着具に保持することができる。
【００４４】
尚、本発明は、上述した実施の形態のみには限定されず、その要旨を逸脱しない範囲内において種々の変形が可能である。例えば、付属品係止用突起３ａ、３ｂの頭部９の外形は、半球状のみには限定されない。例えば、三角錐状や円盤状など種々の形状が可能であることは勿論である。また、軸部１０の形状についても、円柱状以外にも、例えば四角柱状なども可能であることは云うまでもない。また、抱付部１と付属品保持部２との間に設ける接合強度増強部１１は、上記のようなフィレット状のみには限定されず、その他にも、例えば梁状のものや抱付部１と付属品保持部２との間を埋めるムク状のものなども可能である。また、付属品保持部２の外形は、短冊状以外にも、例えば棒状や角柱状なども可能であることは云うまでもない。
【００４５】
飲料缶用付属品装着具に保持される付属品としては、上記のような付属品袋７のみには限定されず、例えば、透明硬質樹脂板を折り曲げ加工してなるケースなどでも良い。
【図面の簡単な説明】
【００４６】
【図１】本発明の実施の形態に係る飲料缶用付属品装着具を示す図であり、（ａ）は平面図、（ｂ）は正面図、（ｃ）は側面図である。
【図２】図１の飲料缶用付属品装着具に付属品を保持させて飲料缶に装着した状態を示す斜視図である。
【図３】図２の状態を飲料缶の上から見た平面図である。
【図４】図１の飲料缶用付属品装着具を飲料缶に装着する際の動作を示す斜視図である。
【図５】図４に引き続いて飲料缶用付属品装着具を飲料缶に装着する際の動作を示す斜視図である。
【図６】図５に引き続いて飲料缶用付属品装着具を飲料缶に装着する際の動作を示す斜視図である。
【図７】飲料缶のカシメ溝に抱付部のフランジ部が嵌り込んだ状態を示す断面図である。
【図８】本発明の実施の形態に係る飲料缶用付属品装着具に保持される付属品袋の全体を示す斜視図である。
【図９】図８の付属品袋における係止用孔の部分を示す正面図である。
【図１０】図８の付属品袋における係止用孔に飲料缶用付属品装着具の付属品係止用突起を挿通して両者を係止させた状態を示す正面図である。
【図１１】図１０に示した状態の付属品係止用突起及びその周辺部の断面図である。
【符号の説明】
【００４７】
１    抱付部
２    付属品保持部
３ａ、３ｂ    付属品係止用突起
５    カシメ溝
７    付属品袋
８ａ、８ｂ    係止用孔
９    頭部
１０  軸部
１１  接合強度増強部
【図１】
2007168907.tif 000003
【図２】
2007168907.tif 000004
【図３】
2007168907.tif 000005
【図４】
2007168907.tif 000006
【図５】
2007168907.tif 000007
【図６】
2007168907.tif 000008
【図７】
2007168907.tif 000009
【図８】
2007168907.tif 000010
【図９】
2007168907.tif 000011
【図１０】
2007168907.tif 000012
【図１１】
2007168907.tif 000013